【手続補正書】
【提出日】平成18年8月7日(2006.8.7)
【手続補正１】
【補正対象書類名】明細書
【補正対象項目名】特許請求の範囲
【補正方法】変更
【補正の内容】
【特許請求の範囲】
【請求項１】  乳化された水−ブレンド燃料組成物であって、以下（Ａ）〜（Ｄ）：
（Ａ）  ガソリンまたはディーゼル範囲で沸騰する炭化水素；
（Ｂ）  水；
（Ｃ）  少乳化量の少なくとも１つの燃料−可溶性塩であって、（Ｃ）（Ｉ）約１６〜５００個の炭素原子を有する少なくともアシル化剤と、（Ｃ）（ＩＩ）アンモニアおよび／または少なくとも１つのアミンとを反応させることによって作製される、燃料−可溶性塩；ならびに
（Ｄ）  水−ブレンド燃料組成物の約０．００１〜約１５重量％の、少なくとも１つの水溶性、無灰分、ハロゲン−、ホウ素−、およびリン−なしのアミン塩であり、成分（Ｃ）とは異なる、アミン塩
を含有する、乳化された水−ブレンド組成物。
【請求項２】  成分（Ａ）が、前記水−ブレンド燃料組成物の約５０〜約９９重量％のレベルで存在する、請求項１に記載の組成物。
【請求項３】  成分（Ｂ）が、前記水−ブレンド燃料組成物の約１〜約５０重量％のレベルで存在する、請求項１に記載の組成物。
【請求項４】  成分（Ｃ）が、前記水−ブレンド燃料組成物の約０．００５〜約１０重量％のレベルで存在する、請求項１に記載の組成物。
【請求項５】  成分（Ｃ）（Ｉ）が、少なくとも１つのモノカルボン酸またはその反応性の等価物を含む、請求項１に記載の組成物。
【請求項６】  成分（Ｃ）（Ｉ）が、少なくとも１つのポリカルボン酸またはその反応性の等価物を含む、請求項１に記載の組成物。
【請求項７】  成分（Ｃ）（Ｉ）が、以下の式：
【化１】
2002525385.tif 000001
によって対応して表される、少なくとも１つのヒドロカルビル−置換された酸またはコハク酸無水物を含み、ここで、Ｒが、ヒドロカルビル基である、請求項１に記載の組成物。
【請求項８】  成分（Ｃ）（Ｉ）が、少なくとも２種のヒドロカルビル−置換されたコハク酸または無水物の混合物を含み、ここで、少なくとも１つのＲが、約８〜約２５個の炭素原子のヒドロカルビル基であり、そして少なくとも１つのＲが、約５０〜約４００個の炭素原子のヒドロカルビル基である、請求項７に記載の組成物。
【請求項９】  Ｒが、ポリイソブテン基である、請求項７に記載の組成物。
【請求項１０】  前記ポリイソブテン（ｐｏｌｙｉｓｏｂｕｔｅｎｅｎｅ）基が、平均で約３５〜約４００個の炭素原子を有する、請求項９に記載の組成物。
【請求項１１】  Ｒが、ヘキサデセニル基である、請求項７に記載の組成物。
【請求項１２】  成分（Ｃ）（Ｉ）が、少なくとも１つのヒドロカルビル−置換されたコハク酸アシル化剤を含み、該ヒドロカルビル−置換されたコハク酸アシル化剤が、少なくとも１つのヒドロカルビル置換基および少なくとも１つのコハク酸基からなり、ここで、該ヒドロカルビル置換基が、オレフィンポリマーから誘導され、該アシル化剤が、該置換基の当量の各々に対して平均で少なくとも１．３個のコハク酸基のその構造内の存在によって特徴付けられる、請求項１に記載の組成物。
【請求項１３】  成分（Ｃ）（ＩＩ）が、少なくとも１つのモノアミン、ポリアミンまたはヒドロキシアミンを含む、請求項１に記載の組成物。
【請求項１４】  成分（Ｃ）（ＩＩ）が、以下の式：
【化２】
2002525385.tif 000002
によって対応して表される、１級、２級、３級のアルカノールアミン、ならびにそれらの２つ以上の混合物からなる群から選択され；ここで、上記式において、各Ｒが独立して、１〜約８個の炭素原子のヒドロカルビル基であり、そして各Ｒ’が独立して、約２〜約１８個の炭素原子のヒドロカルビレン基である、請求項１に記載の組成物。
【請求項１５】  請求項１に記載の組成物であって、成分（Ｃ）（Ｉ）が、以下ａ）およびｂ）を共に、（ｃ）によってカップリングすることによって作製され、ここで、ａ）は、少なくとも１つのポリイソブテン置換されたコハク酸または無水物（該コハク酸または無水物のポリイソブテン置換基は、約５０〜２００個の炭素原子を有する）であり；ｂ）は、少なくとも１つのヒドロカルビル−置換されたコハク酸または無水物（該コハク酸または無水物のヒドロカルビル置換基は、約８〜約２５個の炭素原子を有する）であり；（ｃ）は、少なくとも１つのカップリング剤であり、該カップリング剤は、（ｉ）２つ以上の１級アミノ基、（ｉｉ）２つ以上の２級アミノ基、（ｉｉｉ）少なくとも１つの１級アミノ基および少なくとも１つの２級アミノ基、（ｉｖ）少なくとも２つのヒドロキシル基あるいは（ｖ）少なくとも１つの１級または２級アミノ基および少なくとも１つのヒドロキシル基を有する、組成物。
【請求項１６】  前記カップリング剤（ｃ）が、少なくとも２つのヒドロキシル基を有する、請求項１５に記載の組成物。
【請求項１７】  前記カップリング剤が（ｃ）が、エチレングリコールを含む、請求項１６に記載の組成物。
【請求項１８】  成分（Ｃ）（ＩＩ）が、ジメチルエタノールアミンを含む、請求項１４に記載の組成物。
【請求項１９】  成分（Ｃ）（Ｉ）が、以下の式：
【化３】
2002525385.tif 000003
によって表される、少なくとも１つの化合物を含み、ここで、Ｒ１が、約３５〜約３００個の炭素原子のポリイソブテン基であり、そしてＲ２が、約１０〜２０個の炭素原子のヒドロカルビル基である、請求項１に記載の組成物。
【請求項２０】  請求項１に記載の組成物であって、前記アミン塩（Ｄ）が、以下の式：
ｋ［Ｇ（ＮＲ３）ｙ］ｙ＋ｎＸｐ−        （Ｄ−Ｉ）
によってそのイオン形態で表され、ここで、式（Ｄ−Ｉ）において、Ｇが、水素、または１〜約８個の炭素原子の有機中性ラジカル（ｙの価数を有する）であり；各々Ｒは独立して、水素、または１〜約１０個の炭素原子のヒドロカルビル基であり；Ｘｐ−は、ｐの価数を有するアニオンであり；そしてｋ、ｙ、ｎおよびｐは独立して、少なくとも１であり、ただし、ＧがＨである場合、ｙは１であり；そしてさらにただし、正電荷のｋ個のｙ＋の合計は、該アミン塩が電気的に中性となるように、負電荷のｎ個のｐ−の合計に等しい、組成物。
【請求項２１】  前記アミン塩（Ｄ）が、硝酸アンモニウム、硝酸メチルアンモニウム、二酢酸エチレンジアミン、二硝酸尿素、およびそれらの少なくとも２つの混合物からなる群から選択される、請求項１に記載の組成物。
【請求項２２】  （Ｅ）（Ｃ）とは異なる乳化量の少なくとも１つの共界面活性剤をさらに含有し、該（Ｅ）が、約２〜約１０の範囲内の親水性親油性バランス（ＨＬＢ）を有する、請求項１に記載の組成物。
【請求項２３】  成分（Ｅ）が、（ａ）ポリ（オキシアルキレン）化合物；（ｂ）ソルビタンエステル；および（ｃ）脂肪酸ジエタノールアミドからなる群から選択される、少なくとも１つの化合物を含む、請求項２２に記載の組成物。
【請求項２４】  成分（ａ）が、エチレンオキシドとプロピレンオキシドとのコポリマーを含む、請求項２３に記載の組成物。
【請求項２５】  成分（ａ）が、式ＲＯ（ＣＨ２ＣＨ２Ｏ）ｎＨのアルコールエトキシレートを含み、ここで、Ｒが、８〜３０個の炭素原子のヒドロカルビル基であり、そしてｎが約２〜約１００の範囲である、請求項２３に記載の組成物。
【請求項２６】  成分（ｂ）が、ソルビタンモノオレエートまたはソルビタンセスキオレエートを含む、請求項２３に記載の組成物。
【請求項２７】  成分（ｂ）が、ポリオキシアルキレンソルビタンエステルを含み、ここで、該アルキレン基が、約２〜３０個の炭素原子を含む、請求項２３に記載の組成物。
【請求項２８】  成分（ｂ）が、ソルビタンポリオキシエチレンモノオレエートを含む、請求項２３に記載の組成物。
【請求項２９】  前記脂肪酸ジエタノールアミド（ｃ）が、オレイン酸とジエタノールアミンとを約１：１のモル比で反応させることによって誘導される、請求項２３に記載の組成物。
【請求項３０】  （Ｆ）少なくとも１つの有機ニトレートセタン向上剤をさらに含有する、請求項１に記載の組成物。
【請求項３１】  成分（Ｆ）が、２−エチルヘキシルニトレートを含む、請求項３０に記載の組成物。
【請求項３２】  （Ｇ）少なくとも１つの不凍剤をさらに含有する、請求項１に記載の組成物。
【請求項３３】  成分（Ｇ）が、エチレングリコール、プロピレングリコール、エタノール、メタノール、およびそれらの２つ以上の混合物からなる群から選択される、請求項３２に記載の組成物。
【請求項３４】  乳化された水−ブレンド燃料組成物であって、以下（Ａ）〜（Ｄ）：
（Ａ）  ガソリンまたはディーゼル範囲で沸騰する炭化水素；
（Ｂ）  水；
（Ｃ）  少乳化量の少なくとも１つの燃料可溶性塩であって、（Ｃ）（Ｉ）と（Ｃ）（ＩＩ）とを反応させることによって作製され、該（Ｃ）（Ｉ）は、（Ｃ）（Ｉ）（ａ）約２０〜約５００個の炭素原子のモノカルボン酸またはその反応性等価物、（Ｃ）（Ｉ）（ｂ）約１６〜５００個の炭素原子のポリカルボン酸またはその反応性等価物からなる群から選択される、少なくとも１つのアシル化剤であり、そして該（Ｃ）（ＩＩ）は、アンモニアおよび／または少なくとも１つのアミンである、燃料可溶性塩；ならびに
（Ｄ）  水−ブレンド燃料組成物の約０．００１〜約１５重量％の、少なくとも１つの水溶性、無灰分、ハロゲン−、ホウ素−、およびリン−なしのアミン塩であり、成分（Ｃ）とは異なる、アミン塩
を含有する、乳化された水−ブレンド組成物。
【請求項３５】  水−ブレンド燃料組成物であって、以下（ａ）〜（ｅ）：
（ａ）  約６０〜約９５重量％のガソリンまたはディーゼル燃料；
（ｂ）  １０〜４０重量％の水；
（ｃ）  約０．１〜２重量％の少なくとも１つの塩であって、（ｉ）と（ｉｉ）とを反応させることによって作製され、ここで、該（ｉ）が、少なくとも１つのヒドロカルビル置換基および少なくとも１つのコハク酸基からなる少なくとも１つのヒドロカルビル−置換されたコハク酸アシル化剤であり、ここで、該ヒドロカルビル置換基が、オレフィンポリマーから誘導され、該アシル化剤が、該置換基の当量の各々に対して平均で少なくとも１．３個のコハク酸基のその構造内の存在によって特徴付けられ、該（ｉｉ）が、アンモニアおよび／または少なくとも１つのアミンである、塩；
（ｄ）  約０．００１〜１重量％の硝酸アンモニウム；ならびに
（ｅ）  約０．０１〜約１重量％の２−エチルヘキシルニトレート
を含有する、組成物。
【請求項３６】  水−ブレンドディーゼル燃料組成物であって、以下（ａ）〜（ｅ）：
（ａ）  約６０〜約９５重量％のディーゼル燃料；
（ｂ）  約１０〜約４０重量％の水；
（ｃ）  約０．１〜約２重量％の少なくとも１つの塩であって、該塩は、少なくとも１つのアシル化剤とアンモニアおよび／または少なくとも１つのアミンとを反応させることによって作製され；該アシル化剤は、以下（ｉ）および（ｉｉ）を共に、（ｉｉｉ）によってカップリングすることによって作製され、ここで、該（ｉ）は、少なくとも１つのポリイソブテン置換されたコハク酸または無水物（該コハク酸または無水物のポリイソブテン置換基は、約５０〜２００個の炭素原子を有する）であり；該（ｉｉ）は、少なくとも１つのヒドロカルビル−置換されたコハク酸または無水物（該コハク酸または無水物のヒドロカルビル置換基は、約８〜約２５個の炭素原子を有する）であり；該（ｉｉｉ）は、少なくとも１つのカップリング剤であり、該カップリング剤は、（ａ）２つ以上の１級アミノ基、（ｂ）２つ以上の２級アミノ基、（ｃ）少なくとも１つの１級アミノ基および少なくとも１つの２級アミノ基、（ｄ）少なくとも２つのヒドロキシル基あるいは（ｅ）少なくとも１つの１級または２級アミノ基および少なくとも１つのヒドロキシル基を有する、塩；
（ｄ）  約０．００１〜約１重量％の硝酸アンモニウム；ならびに
（ｅ）  約０．０１〜約１重量％の２−エチルヘキシルニトレート
を含有する、組成物。
【請求項３７】  乳化された水−ブレンド燃料組成物であって、以下（Ａ）〜（Ｄ）：
（Ａ）  ガソリンまたはディーゼル範囲で沸騰する炭化水素；
（Ｂ）  水；
（Ｃ）  少乳化量の少なくとも１つの燃料可溶性塩であって、該塩は、以下（Ｉ）第１のポリカルボン酸アシル化剤、（ＩＩ）第２のポリカルボン酸アシル化剤から構成され、該第１のポリカルボン酸アシル化剤は、約２０〜約５００個の炭素原子を有する少なくとも１つのヒドロカルビル置換基を有し、該第２のポリカルボン酸アシル化剤は、必要に応じて、約５００個までの炭素原子を有する少なくとも１つのヒドロカルビル置換基を有し、該ポリカルボン酸アシル化剤（Ｉ）および（ＩＩ）は、共に、（ＩＩＩ）連結基によってカップリングされ、該連結基は、２つ以上の１級アミノ基、２つ以上の２級アミノ基、少なくとも１つの１級アミノ基および少なくとも１つの２級アミノ基、少なくとも２つのヒドロキシル基、あるいは少なくとも１つの１級または２級アミノ基および少なくとも１つのヒドロキシル基を有する連結化合物から誘導され、該ポリカルボン酸アシル化剤（Ｉ）および（ＩＩ）は、（ＩＶ）アンモニアまたはアミンを用いて塩を形成する、塩；ならびに
（Ｄ）  約０．００１〜約１５重量％の水可溶性塩であり、成分（Ｃ）とは異なる、水可溶性塩
を含有する、水−ブレンド燃料組成物。
【請求項３８】  前記第１のカルボン酸アシル化剤（Ｉ）が、ポリイソブテン置換されたコハク酸または無水物であり、そして前記第２のカルボン酸アシル化剤（ＩＩ）が、ポリイソブテン置換されたコハク酸または無水物である、請求項３７に記載の燃料組成物。
【請求項３９】  前記第１のアシル化剤（Ｉ）および前記第２のアシル化剤（ＩＩ）が、少なくとも５０重量％のメチルビニリデン異性体含有量を有するポリイソブテンから誘導される、請求項３７に記載の燃料組成物。
【請求項４０】  前記アシル化剤（Ｉ）の前記ポリイソブテン置換基が、約２０００〜約２６００の数平均分子量を有し、そして前記アシル化剤（ＩＩ）の前記ポリイソブテン置換基が、約７００〜約１３００の数平均分子量を有する、、請求項３８に記載の燃料組成物。
【請求項４１】  前記連結化合物（ＩＩＩ）が、ポリオール、ポリアミンまたはヒドロキシアミンである、請求項３７に記載の燃料組成物。
【請求項４２】  前記アミン（ＩＶ）が、モノアミン、ポリアミンまたはヒドロキシアミンである、請求項３７に記載の燃料組成物。
【請求項４３】  前記連結化合物（ＩＩＩ）が、エチレングリコールである、請求項３７に記載の燃料組成物。
【請求項４４】  前記アミン（ＩＶ）が、ジメチルアミノエタノールである、請求項３７に記載の燃料組成物。
【請求項４５】  請求項３７に記載の燃料組成物であって、前記塩（Ｃ）が、（Ｉ）第１のポリイソブテン置換されたコハク酸または無水物（該第１の酸または無水物のポリイソブテン置換基は、約２０００〜約２６００の数平均分子量を有する）、（ＩＩ）第２のポリイソブテン置換されたコハク酸または無水物（該第２の酸または無水物のポリイソブテン置換基は、約７００〜約１３００の数平均分子量を有する）から構成され、該ポリイソブテン置換されたコハク酸または無水物（Ｉ）および（ＩＩ）は、共に、（ＩＩＩ）エチレングリコールから誘導される連結基によってカップリングされ、該ポリイソブテン置換されたコハク酸または無水物（Ｉ）および（ＩＩ）は、アンモニアまたはアミンを用いて塩を形成する、燃料組成物。
【請求項４６】  成分（Ｄ）が、硝酸アンモニウムである、請求項３７に記載の燃料組成物。
【請求項４７】  内燃機関に燃料供給するプロセスであって、該機関を請求項１に記載の燃料組成物で燃料供給する工程を包含する、プロセス。
【請求項４８】  内燃機関に燃料供給するプロセスであって、該機関を請求項３７に記載の燃料組成物で燃料供給する工程を包含する、プロセス。